(57)【特許請求の範囲】
【請求項１】
一端部に鍵穴が形成されたシリンダ錠と、
前記シリンダ錠の少なくとも一部を挿入可能な貫通孔を備えた錠ケースと、を有し、
前記シリンダ錠は、前記錠ケースにおける前記貫通孔の室内側開口部に挿入可能な小径部と、前記貫通孔の室内側開口部に挿入不能な大径部と、を有して構成され、かつ、前記錠ケースにおける前記貫通孔の室内側開口部に前記一端部から前記小径部が挿入されて、前記錠ケースに取り付けられ、
扉に取り付けられた状態において、前記シリンダ錠における前記一端部の端面が、前記扉の室外側の面と面一であること、又は、前記扉の室外側の面よりも室内側に位置することを特徴とする、
ケースロック装置。
【請求項２】
一端部に鍵穴が形成されたシリンダ錠と、
前記シリンダ錠の少なくとも一部を挿入可能な貫通孔を備えた錠ケースと、を有し、
前記シリンダ錠の他端部には、前記貫通孔の室内側開口部に挿入不能なサムターンが連結可能であり、
前記シリンダ錠は、前記他端部にサムターンを一体化した状態で、前記錠ケースにおける前記貫通孔の室内側開口部から前記一端部が挿入されて、前記錠ケースに取り付けられ、
扉に取り付けられた状態において、前記シリンダ錠における前記一端部の端面が、前記扉の室外側の面と面一であること、又は、前記扉の室外側の面よりも室内側に位置することを特徴とする、
ケースロック装置。
【請求項３】
前記シリンダ錠の外筒と前記サムターンの本体が連結固定されていると共に、前記シリンダ錠の内筒と前記サムターンのサムターン軸が動力伝達可能に連結されていることを特徴とする、
請求項２に記載のケースロック装置。
【請求項４】
前記錠ケースは、扉に内装されることを特徴とする、
請求項１〜３のいずれか１項に記載のケースロック装置。
【請求項５】
前記シリンダ錠における前記一端部の端面は、前記鍵穴を含む一部だけが前記扉から露出されていることを特徴とする、
請求項１〜４のいずれか１項に記載のケースロック装置。
【請求項６】
前記錠ケースに対する前記シリンダ錠の軸方向位置が調整可能に構成されていることを特徴とする、
請求項１〜５のいずれか１項に記載のケースロック装置。
【発明の詳細な説明】
【技術分野】
【０００１】
本発明は、ケースロック装置に関する。
【背景技術】
【０００２】
従来のケースロック装置は、一般に、玄関などの扉の戸先に内装される錠ケースと、この錠ケースの室外側に配設されるシリンダ錠と、錠ケースの室内側に配設されるサムターンと、を有して構成されている。そして、このようなケースロック装置では、室外側から鍵を差し込んでシリンダ錠を回動したり、室内側からサムターンを回動することによって、扉の施錠および解錠が可能となっている（例えば、特許文献１参照）。
【特許文献１】特開２００４−３５３３４９号公報
【発明の開示】
【発明が解決しようとする課題】
【０００３】
しかしながら、このような従来のケースロック装置では、シリンダ錠を扉の室外側から錠ケースに取り付ける一方で、サムターンを扉の室内側から錠ケースに取り付ける必要があり、シリンダ錠やサムターンの取り付けが煩雑で、取り付けに時間がかかってしまうといった問題点があった。
【０００４】
また、シリンダ錠を扉の室外側から錠ケースに取り付ける関係上、シリンダ錠には、扉の室外側に突出する突出部分が必要となる。そのため、従来のケースロック装置は、シリンダ錠の突出により扉のデザイン性が損なわれてしまうといった問題点がある上に、シリンダ錠の突出部分がハンマーなどの道具によって叩かれてシリンダ錠が破壊されるおそれがあるなど、防犯上の問題点も有していた。
【０００５】
本発明は、このような問題点を解決するためになされたものであって、従来よりも扉への取り付けが容易であると共に、扉のデザイン性や防犯性を高めることが可能なケースロック装置を提供することを目的とする。
【課題を解決するための手段】
【０００６】
本発明は、一端部に鍵穴が形成されたシリンダ錠と、前記シリンダ錠の少なくとも一部を挿入可能な貫通孔を備えた錠ケースと、を有し、前記シリンダ錠は、前記錠ケースにおける前記貫通孔の室内側開口部から前記一端部が挿入されて、前記錠ケースに取り付けられることを特徴とする、ケースロック装置である。
【０００７】
本発明に係るケースロック装置によれば、従来は扉の室外側から錠ケースに取り付けられていたシリンダ錠を、扉の室内側から取り付けることが可能となる。そのため、室外側からの取り付け作業が不要で(室内側からの取り付け作業だけで足り)、従来よりも扉への取り付けが容易となる。また、シリンダ錠を扉の室外側から取り付ける場合、扉の室外側の面にはシリンダ錠を挿通するための大きな貫通孔を形成しなければならないが、本発明に係るケースロック装置では、シリンダ錠を扉の室内側から取り付けることが可能であるため、扉の室外側の面に大きな貫通孔を形成する必要がない上に、扉の室外側の面からのシリンダ錠の露出を少なくすることも可能で、扉のデザイン性や防犯性を高めることができる。
【０００８】
なお、扉に取り付けられた状態において、前記シリンダ錠における前記一端部の端面が、前記扉の室外側の面と面一であるか、または、前記扉の室外側の面よりも室内側に位置するようにすれば、シリンダ錠の突出により扉のデザインが制約されるおそれが無く、扉のデザイン性を従来よりも高めることができる。また、シリンダ錠の突出部分がハンマーなどの道具で叩かれてシリンダ錠が破壊されるようなおそれが無く、従来よりも防犯性を高めることができる。
【０００９】
また、前記シリンダ錠における前記一端部の端面は、前記鍵穴を含む一部だけが前記扉から露出されていれば、施錠および解錠というシリンダ錠の機能を担保しつつ、同時に、シリンダ錠の露出部分を少なくすることができ、より一層、扉のデザイン性や防犯性を高めることができる。
【００１０】
また、前記錠ケースに対する前記シリンダ錠の軸方向位置が調整可能に構成されていれば、ケースロック装置が取り付けられる扉の厚みが複数種類存在する場合でも、扉の厚みに応じて、シリンダ錠の一端部の端面を、扉の室外側の面と面一にしたり、扉の室外側の面よりも室内側に位置するように調整することが可能となる。
【００１１】
また、前記シリンダ錠の他端部にサムターンが連結可能であれば、シリンダ錠およびサムターンを一体化した状態で、錠ケースに取り付けることができる。そのため、従来のケースロック装置のように、シリンダ錠を扉の室外側から錠ケースに取り付け、サムターンを扉の室内側から錠ケースに取り付けるような作業が不要で、ケースロック装置を容易に取り付けることができ、従来よりも、ケースロック装置の取り付け作業の工数を大幅に削減することができる。
【００１２】
また、前記シリンダ錠の外筒と前記サムターンの本体が連結固定されていると共に、前記シリンダ錠の内筒と前記サムターンのサムターン軸が動力伝達可能に連結されていれば、シリンダ錠をサムターンにより近い位置に配設することが可能となり、例えば、厚さの薄い扉であってもシリンダ錠の突出を回避することができる。
【００１３】
また、前記シリンダ錠が、前記錠ケースにおける前記貫通孔の室内側開口部に挿入可能な小径部と、前記貫通孔の室内側開口部に挿入不能な大径部と、を有して構成されていれば、大径部を用いてシリンダ錠の軸方向の位置決めを容易に行うことができ、シリンダ錠の錠ケースへの取り付けが容易になる。
【発明の効果】
【００１４】
本発明に係るケースロック装置は、従来よりも扉への取り付けが容易であると共に、扉などのデザイン性や防犯性を高めることが可能となるという優れた効果を有する。
【発明を実施するための最良の形態】
【００１５】
以下、図面を用いて、本発明の実施形態に係るケースロック装置１０について詳細に説明する。
【００１６】
<全体構成>
【００１７】
図１は、本実施例形態に係るケースロック装置１０の主要部を分解した状態を示す分解斜視図である。
【００１８】
図１に示されるように、このケースロック装置１０は、玄関や部屋などの扉１２に内装される箱状の錠ケース１４と、この錠ケース１４に取り付けられるシリンダ錠１６と、このシリンダ錠１６に連結されるサムターン１８と、を有して構成されている。
【００１９】
図２はケースロック装置１０が設置された扉１２を室外側から見た様子を示す略示正面図であり、図３はケースロック装置１０が設置された扉１２を室内側から見た様子を示す略示正面図である。
【００２０】
図２および図３に示されるように、ケースロック装置１０が扉１２に設置された状態では、扉１２の室外側化粧板１２Ａからはシリンダ錠１６の鍵穴１６４が露出し、扉１２の室内側化粧板１２Ｂからはサムターン１８が突出した状態となる。
【００２１】
図４は扉１２におけるケースロック装置１０の周辺部分を拡大して示した部分拡大斜視図である。
【００２２】
図４に示されるように、扉１２の戸先側の面１２Ｃには、ケースロック装置１０のデッドボルト２０が出没するように構成されている。このデッドボルト２０は、室外側からはシリンダ錠１６を操作することによって、また、室内側からはサムターン１８を操作することによって、出入口枠２２（図２または図３参照）に形成されたストライカ２２Ａに嵌入したり（扉１２を施錠状態にしたり）、ストライカ２２Ａから退出したり（扉１２を解錠状態にしたり）するようになっている。
【００２３】
<錠ケース>
【００２４】
次に、錠ケース１４について説明する。
【００２５】
図５は錠ケース１４を室外側から見た略示外観斜視図であり、図６は錠ケース１４を室内側から見た略示外観斜視図である。
【００２６】
図５に示されるように、錠ケース１４は、室内側に配設されるケース本体２４と、室外側に配設されるケースカバー２６と、を有して構成されている。
【００２７】
<ケース本体>
【００２８】
最初に、錠ケース１４のケース本体２４について説明する。
【００２９】
図７はケース本体２４の略示外観斜視図であり、図８はケース本体２４の略示正面図である。
【００３０】
図７に示されるように、ケース本体２４は、扉１２と略平行に配置される四角形状のベース部２７を有し、このベース部２７の左右および上下の各辺には、側枠２８、３０、３２、３４が同方向に屈曲形成されている。なお、左側側枠２８の上下両側には、連結固定部３６がそれぞれ延出成形されており、その連結固定部３６には、ケース本体２４を扉１２の戸先側の面１２Ｃに固定するために使用されるネジ貫通孔３８が形成されている。
【００３１】
また、図８に示されるように、ケース本体２４には、円形形状の第１貫通孔４０が形成されている。この第１貫通孔４０の左側には上下一対の左側ストッパ片４２が、また、第１貫通孔４０の右側には上下一対の右側ストッパ片４４が、それぞれ第１貫通孔４０の中心部に向かって延出形成されている。
【００３２】
さらに、ケース本体２４のベース部２７の内側面２７Ａには、四角形状の第１案内プレート４６が、ベース部２７に対してスポット溶接で接合されている。この第１案内プレート４６には、第１ガイド孔４８が貫通形成されていると共に、第１案内プレート４６の下辺には第１ガイド孔４８の内周面に沿うように円弧状の外周部５０が形成され、この外周部５０の両端部近傍にはストッパ面５２が形成されている。
【００３３】
<ケースカバー>
【００３４】
次に、錠ケース１４のケースカバー２６について説明する。
【００３５】
図９はケースカバー２６の略示外観斜視図であり、図１０はケースカバー２６の略示正面図である。
【００３６】
ケースカバー２６は、ケース本体２４のベース部２７と対向して配置される四角形状のプレート部５４を有し、その一辺側には、ケース本体２４の左側側枠２８の内側面と重なるように配設される前片５６が屈折成形されている。
【００３７】
また、図１０に示されるように、ケースカバー２６には、円形形状の第２貫通孔５８が形成されている。この第２貫通孔５８の左側には上下一対の左側ストッパ片６０が、また、第２貫通孔５８の右側には上下一対の右側ストッパ片６２が、それぞれ第２貫通孔５８の中心部に向かって延出形成されている。
【００３８】
さらに、プレート部５４の内側面５４Ａには、第１案内プレート４６と同じ四角形状の第２案内プレート６４が、プレート部５４に対してスポット溶接で接合されている。この第２案内プレート６４には、第２ガイド孔６６が貫通形成されていると共に、第２案内プレート６４の下辺には第２ガイド孔６６の内周面に沿うように円弧状の外周部６８が形成され、この外周部６８の両端部近傍にはストッパ面７０が形成されている。
【００３９】
<錠ケースの内部構造>
【００４０】
次に、錠ケース１４の内部構造について説明する。
【００４１】
図１１は錠ケース１４の内部構造を示した外観斜視図であり、図１２はロックカム機構７２の分解斜視図である。
【００４２】
図１１に示されるように、ロックカム機構７２は、ケース本体２４の第１案内プレート４６と、ケースカバー２６の第２案内プレート６４によって回動可能に支持されている（図１１には第１案内プレート４６のみ図示）。
【００４３】
このロックカム装置７２は、図１２に拡大して示されるように、貫通孔７４Ａが形成された環状のプレートからなる一対のロックカムガイド７４を有し、各々のロックカムガイド７４は、ケース本体２４の第１ガイド孔４８と、ケースカバー２６の第２ガイド孔６６に摺動可能に嵌合される。また、ロックカムガイド７４の貫通孔７４Ａには、ケース本体２４の第１貫通孔４０に形成された左側ストッパ片４２および右側ストッパ片４４、ケースカバー２６の第２貫通孔５８に形成された左側ストッパ片６０および右側ストッパ片６２と同じ位置関係となるように、一対の左側係合片７６および右側係合片７８が形成されている。
【００４４】
また、ケース本体２４側に配置されるロックカムガイド７４には、貫通孔８０Ａが形成された環状のプレートからなるロックカム８０が固着されている。このロックカム８０の外周には、作動片８２が径方向外側に向けて延出形成されていると共に、その作動片８２には、スタッド８４がカシメ固着されている。
【００４５】
ロックカムガイド７４がケース本体２４の第１ガイド孔４８の内周面に沿って回動すると、ロックカム８０の作動片８２が第１ガイド孔４８の外周部５０に沿って摺動し、外周部５０の両端部近傍に形成されたストッパ面５２と係合する。すなわち、ロックカム８０は、２つのストッパ面５２の間を回動可能である。
【００４６】
一方、ケースカバー２６側に配置されるロックカムガイド７４には、貫通孔８６Ａが形成された環状のプレートからなるロックカムスペーサ８６が固着されている。このロックカムスペーサ８６は、３つの間隔保持部材８８を介してロックカム８０と連結されている。
【００４７】
図１１に戻って、ロックカム装置７２の戸先側（図１１の左側）には、ケース本体２４およびケースカバー２６によって挟持される、平面視がコの字形状のロックガイド９０が配設されており、このロックガイド９０には、棒状のスタッド９２が貫通して配置されている。
【００４８】
また、ロックカム装置７２の下側には、上述のデッドボルト２０が配設されている。このデッドボルト２０は、断面Ｕ字形状のカマ収容部９４と、このカマ収容部９４の後端側壁から後方に延出形成された一対の制御片９６と、カマ収容部９４および制御片９６との下側境界部分に形成された段差面からなるストッパ面９８とを有して構成されている。
【００４９】
一対の制御片９６には、左右方向の長いガイド孔１００が貫通形成され、このガイド孔１００には、ケース本体２４とケースカバー２６との間に固定されたガイド軸１０２が貫通して配設されている。デッドボルト２０は、ガイド孔１００の右端とガイド軸１０２が係合する位置と、ガイド孔１００の左端とガイド軸１０２が係合する位置との間を移動する。そして、図１３に示されるように、ガイド孔１００の左端とガイド軸１０２が係合しているときは、デッドボルト２０の先端（カマ収容部９４の左端）は、ケース本体２４の左側側枠２８の面と面一になる位置（解錠位置）に移動する。一方、図１４に示されるように、ガイド孔１００の右端とガイド軸１０２が係合しているときは、デッドボルト２０の先端は、左側側枠２８の面から突出し、出入り口２２に設けられたストライカ２２Ａに嵌入された位置（施錠位置）に移動する。
【００５０】
一対の制御片９６のうち、ケース本体２４側の制御片９６には、その上側に、ロックカム装置７２の作動片８２と当接する左右一対の左側従動片１０４および右側従動片１０６が形成されている。ロックカム装置７２が解錠位置にあるときは、図１３に示されるように、作動片８２は右側従動片１０６に当接している。この状態から、ロックカム装置７２を施錠位置の方向に回動させると、作動片８２が左側従動片１０４を介してデッドボルト２０を左側に移動させる。
【００５１】
<サムターン>
【００５２】
次に、サムターン１８について説明する。
【００５３】
図１５（ａ）はサムターン１８の略示側面図であり、同図（ｂ）はサムターン１８の略示分解図である。また、図１６（ａ）はサムターン１８の略示分解斜視図であり、同図（ｂ）はサムターン１８の略示斜視図である。
【００５４】
サムターン１８は、サムターン本体１１０と、サムターン軸１１２と、サムターンカム１１４と、台座１１６と、摘み１１８と、ばね１２０と、を有して構成されている。
【００５５】
サムターン本体１１０は、図１６（ａ）および（ｂ）に示されるように、大径部１２２と小径部１２４を有して構成されている。
【００５６】
大径部１２２には、大径の収容凹部１２６が形成され、その収容凹部１２６の奥面には、小径の嵌合凹部１２８が形成されている。
【００５７】
小径部１２４には、図１６（ｂ）に示されるように、収容凹部１２９が形成されていると共に、大径部１２２の嵌合凹部１２８に形成された切り欠き凹部１３０と対向する位置には、扇形状のカム突起１３２が形成されている。そして、その一対のカム突起１３２には、切り欠き凹部１３０まで貫通する貫通孔１３４がそれぞれ形成されている。また、収容凹部１２６の奥面の中央位置には、サムターン軸１１２の一部が嵌入する挿入孔１３６が嵌合凹部１２８まで貫通形成されている。
【００５８】
サムターン軸１１２は、大径部１３７と、小径部１３８を有し、大径部１３７と小径部１３８を連通する十字形状の操作軸孔１４０が貫通形成されている。また、小径部１３８には、サムターンカム１１４が配設される。
【００５９】
このサムターンカム１１４は、環状部１４２とその環状部１４２の外周部に対向するように延出形成された一対の駆動片１４４とを有して構成されている。
【００６０】
そして、サムターンカム１１４の環状部１４２は、その一対の駆動片１４４がサムターン軸１１２の大径部１３７側に位置するようにサムターン軸１１２の小径部１３８に挿通されると共に、サムターン本体１１０に回動可能に取り付けられる。さらに、サムターン本体１１０の小径部１２４は、図１５（ｂ）に示されるように、はね１２０を介して台座１１６に嵌合される。また、サムターン本体１１０の収容凹部１２６には、摘み１１８が回動可能に収容されると共に、この摘み１１８の回転軸１１８Ａが、サムターン軸１１４の操作軸孔１４０に挿入されて固定される。
【００６１】
上記図１３および図１４に示されるように、サムターン１８が錠ケース１４に固定される際には、サムターン本体１１０に支持されているサムターンカム１１４の一対の駆動片１４４が、ロックカム装置７２の一対の左側係合片７６および右側係合片７８の間にそれぞれ介在するように固定される。そして、摘み１１８を回動操作することによって、サムターン軸１１４を回動し、ロックカム装置７２を回動させることができる。
【００６２】
<シリンダ錠>
【００６３】
次に、シリンダ錠１６について説明する。
【００６４】
図１７（ａ）はシリンダ錠１６の外筒１５０の外観斜視図であり、同図（ｂ）はシリンダ錠１６の略示背面図であり、同図（ｃ）はシリンダ錠１６の略示側断面図である。また、図１８は錠ケース１４にシリンダ錠１６およびサムターン１８を取り付けた状態を扉１２の上部から見た略示側断面図であり、図１９は錠ケース１４にシリンダ錠１６およびサムターン１８を取り付けた状態を扉１２の側面から見た略示側断面図である。
【００６５】
図１７（ａ）に示されるように、シリンダ錠１６は、円筒状の外筒１５０を有している。この外筒１５０の外周面には、軸線方向の対向する位置に一対の突条１５２が形成されている。この一対の突条１５２は、外筒１５０がケース本体２４の第１貫通孔４０およびケースカバー２６の第２貫通孔５８に貫通されたとき、上記図１３および図１４の２点鎖線で示されるように、一対の左側ストッパ片４２および一対の右側ストッパ片４４の間にそれぞれ係合される。
【００６６】
また、突条１５２には、固定孔１５４が形成されている。この固定孔１５４は、外筒１５０がケース本体２４の第１貫通孔４０およびケースカバー２６の第２貫通孔５８に貫通されたとき、ロックガイド９０に支持されたスタッド９２の先端部が嵌入される。これにより、外筒１５０は、錠ケース１４に位置決め支持固定される。すなわち、シリンダ錠１６は、錠ケース１４に対して一体的に固定されることになる。
【００６７】
外筒１５０の開口端面であって、突条１５２が形成された位置には、一対のネジ孔１５６が形成されている。外筒１５０の開口端面は、図１９に示されるように、サムターン本体１１０の収容凹部１２９に形成されたカム突起１３２に当接するように配設される。そして、図１８に示されるように、サムターン本体１１０側から、カム突起１３２に形成した貫通孔１３４にネジ１５８を挿通し、このネジ１５８を外筒１５０の開口端面のネジ孔１５６に螺着することにより、サムターン本体１１０に対してシリンダ錠１６の外筒１５０が固定される。すなわち、サムターン１８は、外筒１５０を介して錠ケース１４に対して固定される。
【００６８】
外筒１５０の内部には、図１７（ｃ）に示されるように、鍵が挿入されるタンブラーを有し、鍵穴１６４（図４参照）に差し込んだ鍵の回動操作と共に回動する内筒１６０が収容される。また、外筒１５０の閉塞部の中央位置には鍵挿入窓１６２が形成され、外筒１５０内に収容された内筒１６０の鍵穴１６４が露出するようになっている。また、内筒１６０に設けた回転軸１６６がサムターン本体１１０まで延出形成されており、この回転軸１６６はサムターン軸１１２の操作軸１４０に嵌入されている。
【００６９】
従って、シリンダ錠１６に鍵を差し込んで回動操作したとき、サムターン軸１１２（サムターンカム１１４）を介してロックカム装置７２（デッドボルト２０）を解錠位置や施錠位置に移動させることができる。
【００７０】
シリンダ錠１６は、図１８に示されるように、ケース本体２４の第１貫通孔４０、ロックカム装置７２、および、ケースカバー２６の第２貫通孔５８をそれぞれ貫通して配設される。すなわち、シリンダ錠１６は、錠ケース１４における第１貫通孔４０の室内側開口部（図１８における左側の開口部）から、鍵穴側端部１６Ａが挿入されて、錠ケース１４に取り付けられる。そして、ケースロック装置１０が扉１２に取り付けられた状態において、シリンダ錠１６の鍵穴側端部１６Ａの軸方向端面Ｐ（本実施形態ではシリンダ錠１６の内筒１６０の軸方向端面）は、扉１２の室外化粧板１２Ａの室外側の面よりも室内側に位置するようになっている。
【００７１】
以上説明したように、本実施形態に係るケースロック装置１０は、一端部（本実施形態では鍵穴側端部１６Ａ）に鍵穴１６４が形成されたシリンダ錠１６と、シリンダ錠１６の少なくとも一部を挿入可能な貫通孔（本実施形態では、ケース本体２４の第１貫通孔４０、および、ケースカバー２６の第２貫通孔５８）を備えた錠ケース１４と、を有し、シリンダ錠１６は、錠ケース１４における貫通孔の室内側開口部（図１における奥側の開口部）から一端部が挿入されて、錠ケース１４に取り付けられるため、従来は扉１２の室外側から錠ケース１４に取り付けられていたシリンダ錠１６を、扉１２の室内側から取り付けることが可能となる。そのため、室外側からの取り付け作業が不要で(室内側からの取り付け作業で足り)、従来よりも扉１２への取り付けが容易となる。
【００７２】
また、シリンダ錠１６を扉１２の室外側から取り付ける場合、扉１２にはシリンダ錠１６を挿通するための大きな貫通孔を形成しなければならないが、本発明に係るケースロック装置では、シリンダ錠１６を扉１２の室内側から取り付けることが可能であるため、扉１２の室外側の面に大きな貫通孔を形成する必要がない上に、扉１２の室外側の面からのシリンダ錠１６の露出を少なくすることができ、扉１２のデザイン性や防犯性を高めることができる。
【００７３】
また、図１８に示されるように、扉１２に取り付けられた状態において、シリンダ錠１６における一端部１６Ａの端面Ｐが、扉１２の室外側の面（室外化粧板１２Ａの表面）よりも室内側に位置するため、シリンダ錠１６の突出により扉１２のデザインが制約されるおそれが無く、扉１２のデザイン性を従来よりも高めることができる。また、シリンダ錠１６の突出部分がハンマーなどの道具で叩かれてシリンダ錠１６が破壊されるようなおそれが無く、従来よりも防犯性を高めることができる。
【００７４】
また、シリンダ錠１６における一端部１６Ａの端面Ｐは、鍵穴１６４を含む一部だけ（本実施形態ではシリンダ錠１６の内筒１６０の一部だけ）が扉１２から露出されているため、施錠および解錠というシリンダ錠１６の機能を担保しつつ、同時に、シリンダ錠１６の露出部分を少なくすることができ、より一層、扉１２のデザイン性や防犯性を高めることができる。
【００７５】
また、シリンダ錠１６の他端部（本実施形態では開口端面側）にサムターン１８が連結可能であるため、シリンダ錠１６およびサムターン１８を一体化した状態で、錠ケース１４に取り付けることができる。そのため、従来のケースロック装置のように、シリンダ錠１６を扉１２の室外側から錠ケース１４に取り付け、サムターン１８を扉１２の室内側から錠ケース１４に取り付けるような作業が不要で、ケースロック装置１０を容易に取り付けることができ、従来よりも、ケースロック装置１０の取り付け作業の工数を大幅に削減することができる。
【００７６】
また、シリンダ錠１６の外筒１５０とサムターン１８の本体１１０が連結固定されていると共に、シリンダ錠１６の内筒１６０とサムターン１８のサムターン軸１１２が動力伝達可能に連結されているため、シリンダ錠１６をよりサムターン１８に近い位置に配設することが可能となり、厚さの薄い扉であってもシリンダ錠１６の突出を回避することができる。
【００７７】
なお、上記実施形態では、シリンダ錠１６における一端部１６Ａの端面Ｐが、扉１２の室外化粧板１２Ａの室外側の面よりも室内側に位置するようにしたが、本発明はこれに限定されるものではない。
【００７８】
従って、例えば、図２０に示されるように、シリンダ錠１６における一端部１６Ａの端面Ｐが、扉１２の室外側の面と面一になるようにしてもよい。この場合も、シリンダ錠１６の突出により扉１２のデザインが制約されるおそれが無く、ケースロック装置１０が取り付けられる扉１２のデザイン性を従来よりも高めることができる。また、シリンダ錠１６の突出部分がハンマーなどの道具で叩かれてシリンダ錠１６が破壊されるようなおそれが無く、従来よりも防犯性を高めることができる。
【００７９】
なお、シリンダ錠１６の突出が扉１２のデザイン上問題とならず、また、防犯上も問題ない程度のものであり、実質的に面一とみなせるものであれば、シリンダ錠１６における一端部の端面が扉１２の室外側の面よりも若干（例えば数ミリ程度）突出している場合であっても本発明に係る「面一」に含まれる。例えば、図２０において、シリンダ錠１６の外筒１５０の端面を扉１２の室外側の面と面一とした場合、内筒１６０の軸方向端面は扉１２の室外側の面よりも若干突出することになるが、この程度の突出であれば、扉１２のデザイン上は問題とはならず、また、防犯上も問題ないため、内筒１６０の軸方向端面は、扉１２の室外側の面と実質的に面一であると考えることができる。
【００８０】
さらに、図２１に示されるように、シリンダ錠の外筒１７０に、複数の固定孔１７２を形成し、シリンダ錠の軸方向位置を調整可能に構成されていれば、ケースロック装置１０が取り付けられる扉１２の厚みが複数種類存在する場合でも、扉１２の厚みに応じて、シリンダ錠１６の一端部の端面を、扉１２の室外側の面と面一にしたり、扉１２の室外側の面よりも室内側に位置するように調整することが可能となる。
【００８１】
また、シリンダ錠１６の形状も上記実施形態で示した形状に限定されるものではなく、例えば、図２２に示されるシリンダ錠１８０のように、錠ケース１４における貫通孔の室内側開口部に挿入可能な小径部１８２と、貫通孔の室内側開口部に挿入不能な大径部１８４と、を有して構成されていれば、大径部１８４を用いることによって、錠ケース１４に対するシリンダ錠１６の軸方向の位置決めを容易に行うことができ、シリンダ錠１６の錠ケース１４への取り付けが容易になる。
【００８２】
なお、本発明に係るケースロック装置は、上記実施形態に限定されるものではなく、本発明の要旨を逸脱しない範囲内において種々変更を加え得ることは勿論である。
【産業上の利用可能性】
【００８３】
本発明に係るケースロック装置は、玄関、部屋、トイレなどの扉に幅広く適用することができる。
【図面の簡単な説明】
【００８４】
【図１】本実施形態に係るケースロック装置の主要部を分解した状態を示す分解斜視図である。
【図２】同ケースロック装置が設置された扉を室外側から見た様子を示す略示正面図である。
【図３】同ケースロック装置が設置された扉を室内側から見た様子を示す略示正面図である。
【図４】扉におけるケースロック装置の周辺部分を拡大して示した部分拡大斜視図である。
【図５】錠ケースを室外側から見た略示外観斜視図である。
【図６】錠ケースを室内側から見た略示外観斜視図である。
【図７】ケース本体の略示外観斜視図である。
【図８】ケース本体の略示正面図である。
【図９】ケースカバーの略示外観斜視図である。
【図１０】ケースカバーの略示正面図である。
【図１１】錠ケースの内部構造を示した外観斜視図である。
【図１２】ロックカム機構の分解斜視図である。
【図１３】解錠状態にあるロックカム装置およびデッドボルトを示した略示側面図である。
【図１４】施錠状態にあるロックカム装置およびデッドボルトを示した略示側面図である。
【図１５】（ａ）サムターンの略示側面図である。（ｂ）サムターンの略示分解図である
【図１６】（ａ）サムターンの略示分解斜視図である。（ｂ）サムターンの略示斜視図である。
【図１７】（ａ）シリンダ錠の外筒の外観斜視図である。（ｂ）シリンダ錠の略示背面図である。（ｃ）シリンダ錠の略示側断面図である。
【図１８】錠ケースにシリンダ錠およびサムターンを取り付けた状態を扉の上部から見た略示側断面図である。
【図１９】錠ケースにシリンダ錠およびサムターンを取り付けた状態を扉の側面から見た略示側断面図である。
【図２０】シリンダ錠の他の取り付け位置を示した略示側断面図である。
【図２１】シリンダ錠の他の外筒の例を示した略示斜視図である。
【図２２】シリンダ錠のさらに他の外筒の例を示した略示斜視図である。
【符号の説明】
【００８５】
１０  ケースロック装置
１２  扉
１４  錠ケース
１６  シリンダ錠
１８  サムターン
【図１】
0005369343.tif 000002
【図２】
0005369343.tif 000003
【図３】
0005369343.tif 000004
【図４】
0005369343.tif 000005
【図５】
0005369343.tif 000006
【図６】
0005369343.tif 000007
【図７】
0005369343.tif 000008
【図８】
0005369343.tif 000009
【図９】
0005369343.tif 000010
【図１０】
0005369343.tif 000011
【図１１】
0005369343.tif 000012
【図１２】
0005369343.tif 000013
【図１３】
0005369343.tif 000014
【図１４】
0005369343.tif 000015
【図１５】
0005369343.tif 000016
【図１６】
0005369343.tif 000017
【図１７】
0005369343.tif 000018
【図１８】
0005369343.tif 000019
【図１９】
0005369343.tif 000020
【図２０】
0005369343.tif 000021
【図２１】
0005369343.tif 000022
【図２２】
0005369343.tif 000023